(57)【要約】【課題】遊技者の停止操作の技量により生ずる不均衡を解消するとともに、遊技者に対し大きな期待感を持たせ遊技者の期待感を高めることが可能な遊技機を提供すること。【解決手段】パチスロ（１）は、複数の図柄の一部を表示する図柄表示領域（２１Ｌ，２１Ｃ，２１Ｒ）と、主制御回路（７１）と、を備える。主制御回路は、複数の役から抽籤により内部当籤役を決定し、図柄表示領域において表示された図柄組合せを判定する。副制御回路（７２）は、決定された内部当籤役に対応した図柄組合せが図柄表示領域に表示されていないと判定したことを条件に、該内部当籤役に対応した数値をサブＲＡＭ８３に格納する。そして、ＪＡＣＫＰＯＴに対応する図柄の組合せが図柄表示領域において表示されたことを条件に、サブＲＡＭ８３に格納されている数値に基づいて、所定の役が内部当籤役として決定されたことの報知を行う。【選択図】図３３
2010051452.tif 000002
【特許請求の範囲】
【請求項１】
複数の図柄がそれぞれの周面に配された複数のリールと、前記リールの周面に配された複数の図柄の一部を表示する図柄表示領域とを有する図柄表示手段と、
開始操作信号に応じて、単位遊技の開始を指令する遊技開始指令信号を出力する開始指令手段と、
前記開始指令手段により遊技開始指令信号が出力されることを条件に、予め定めた複数の役から内部当籤役を決定する内部抽籤手段と、
前記開始指令手段により遊技開始指令信号が出力されることを条件に、前記図柄表示手段による図柄の変動表示を開始する開始制御手段と、
停止操作信号に応じて、前記図柄表示手段による図柄の変動表示の停止を指令する停止指令信号を出力する停止指令手段と、
前記停止指令手段により出力された停止指令信号と前記内部抽籤手段により決定される内部当籤役とに基づいて前記図柄表示手段による図柄の変動表示を停止する停止制御手段と、
前記停止制御手段により図柄の変動表示が停止されたときに、前記図柄表示領域において表示された図柄組合せを判定する入賞判定手段と、
前記内部抽籤手段により所定の役が内部当籤役として決定されたことの報知を行う回数に応じた数値が格納される数値格納手段と、
所定の条件により、前記数値格納手段に格納された数値に基づいて、前記内部抽籤手段により前記所定の役が内部当籤役として決定されたことの報知を行う報知手段と、
前記報知手段により前記報知が行われるごとに、前記数値格納手段に格納された数値を減算する数値減算手段と、
前記内部抽籤手段により決定された内部当籤役に対応した図柄組合せが前記図柄表示領域に表示されていないと前記入賞判定手段により判定されたことを条件に、前記内部抽籤手段により決定された内部当籤役に対応した数値を前記数値格納手段に加算する数値加算手段と、を備えたことを特徴とする遊技機。
【請求項２】
請求項１記載の遊技機において、
前記入賞判定手段により判定された図柄組合せに応じて遊技価値を含む利益を付与する利益付与手段と、
投入された遊技価値の総数と前記利益付与手段により付与された遊技価値の総数とから算出される値を調整するために用いる設定値が複数の段階に対応して設けられ、前記複数の段階から所定の段階を設定する設定手段と、
前記設定手段により設定される前記所定の段階の設定値に応じて、前記数値加算手段により加算される各内部当籤役に対応する数値の比率を決定する数値比率決定手段と、を備えることを特徴とする遊技機。
【発明の詳細な説明】
【技術分野】
【０００１】
本発明は、パチスロ等の遊技機に関する。
【背景技術】
【０００２】
従来、複数の図柄がそれぞれの表面に配された複数のリールと、遊技メダルやコイン等（以下、「メダル等」という）が投入され、遊技者によりスタートレバーが操作されたことを検出し、複数のリールの回転の開始を要求するスタートスイッチと、複数のリールのそれぞれに対応して設けられたストップボタンが遊技者により押されたことを検出し、該当するリールの回転の停止を要求する信号を出力するストップスイッチと、複数のリールのそれぞれに対応して設けられ、それぞれの駆動力を各リールに伝達するステッピングモータと、スタートスイッチ及びストップスイッチにより出力された信号に基づいて、ステッピングモータの動作を制御し、各リールの回転及びその停止を行うリール制御部と、を備え、スタートレバーが操作されたことを検出すると、乱数値に基づいて抽籤を行い、この抽籤の結果（以下、「内部当籤役」という）とストップボタンが操作されたことを検出したタイミングとに基づいてリールの回転の停止を行う、パチスロと呼ばれる遊技機が知られている。
【０００３】
このような遊技機では、抽籤により内部当籤役が決定している場合であっても、遊技者のストップボタンを押す停止操作の技量によっては、内部当籤役に対応する図柄組合せが停止表示しない遊技機が提案されている（例えば、特許文献１参照）。この遊技機によれば、遊技者はいわゆる目押しといわれる停止操作のタイミングに熟練した技術が要求される。遊技者はこの目押し操作を行うことにより、遊技に対する興趣が向上する。
【特許文献１】特開２００７−２９５９８２号公報
【発明の開示】
【発明が解決しようとする課題】
【０００４】
しかし、このような遊技機では、停止操作の技量に乏しい初心者は内部当籤役が決定しているにも関わらず内部当籤役に対応する図柄組合せを停止表示することができず、いわゆる取りこぼしが発生する。その結果、取りこぼしが行われるたびに、遊技者に対する不利益が累積してしまっていた。そのため、取りこぼしに対応する利益を遊技者に還元して遊技者に対し大きな期待感を持たせることが可能な遊技機の提供が求められている。
【０００５】
本発明の目的は、遊技者の停止操作の技量により生ずる不均衡を解消するとともに、遊技者に対し大きな期待感を持たせ遊技者の期待感を高めることが可能な遊技機を提供することである。
【課題を解決するための手段】
【０００６】
本発明では、以下のようなものを提供する。
【０００７】
（１）  複数の図柄がそれぞれの周面に配された複数のリール（例えば、後述のリール３Ｌ，３Ｃ，３Ｒ等）と、前記リールの周面に配された複数の図柄の一部を表示する図柄表示領域とを有する図柄表示手段（例えば、後述の図柄表示領域２１Ｌ，２１Ｃ，２１Ｒ等）と、開始操作信号に応じて、単位遊技（例えば、後述の１回の遊技等）の開始を指令する遊技開始指令信号を出力する開始指令手段（例えば、後述のスタートスイッチ６Ｓ等）と、前記開始指令手段により遊技開始指令信号が出力されることを条件に、予め定めた複数の役から内部当籤役を決定する内部抽籤手段（例えば、後述の図２４のＳ７１の処理を行う手段、後述の主制御回路７１等）と、前記開始指令手段により遊技開始指令信号が出力されることを条件に、前記図柄表示手段による図柄の変動表示を開始する開始制御手段（例えば、後述のモータ駆動回路３９、後述のステッピングモータ４９Ｌ，４９Ｃ，４９Ｒ、後述の主制御回路７１等）と、停止操作信号に応じて、前記図柄表示手段による図柄の変動表示の停止を指令する停止指令信号を出力する停止指令手段（例えば、後述のストップスイッチ７Ｓ等）と、前記停止指令手段により出力された停止指令信号と前記内部抽籤手段により決定される内部当籤役とに基づいて前記図柄表示手段による図柄の変動表示を停止する停止制御手段（例えば、後述の図２２のＳ８の処理を行う手段、後述の主制御回路７１等）と、前記停止制御手段により図柄の変動表示が停止されたときに、前記図柄表示領域において表示された図柄組合せを判定する入賞判定手段（例えば、後述の図２２のＳ９の処理を行う手段、後述の主制御回路７１等）と、前記内部抽籤手段により所定の役が内部当籤役として決定されたことの報知を行う回数に応じた数値が格納される数値格納手段（例えば、後述の図３３のＳ３５３の処理を行う手段、後述の副制御回路７２等）と、所定の条件（例えば、表示役としてＪＡＣＫＰＯＴが決定されたこと等）により、前記数値格納手段に格納された数値に基づいて、前記内部抽籤手段により前記所定の役が内部当籤役として決定されたことの報知を行う報知手段（例えば、後述の図３２のＳ３４３の処理を行う手段、後述の副制御回路７２等）と、前記報知手段により前記報知が行われるごとに、前記数値格納手段に格納された数値を減算する数値減算手段（例えば、後述の図３２のＳ３４４の処理を行う手段、後述の副制御回路７２等）と、前記内部抽籤手段により決定された内部当籤役に対応した図柄組合せが前記図柄表示領域に表示されていないと前記入賞判定手段により判定されたことを条件に、前記内部抽籤手段により決定された内部当籤役に対応した数値を前記数値格納手段に加算する数値加算手段（例えば、後述の図３３のＳ３５３の処理を行う手段、後述の副制御回路７２等）と、を備えたことを特徴とする遊技機。
【０００８】
（１）記載の遊技機によれば、数値加算手段は、内部抽籤手段により決定された内部当籤役に対応した図柄組合せが図柄表示領域に表示されていないと入賞判定手段により判定されたことを条件に、内部抽籤手段により決定された内部当籤役に対応した数値を数値格納手段に加算する。そして、報知手段は、所定の条件により、数値格納手段に格納された数値に基づいて、内部抽籤手段により所定の役が内部当籤役として決定されたことの報知を行う。
【０００９】
これにより、遊技者の停止操作の技量が及ばずに内部当籤役に対応した図柄組合せを図柄表示領域において停止表示できなかった場合であっても、所定の役が内部当籤役として決定されたとき報知を受ける権利を遊技者に付与することができる。これにより、遊技機は、停止操作の技量不足により生ずる初心者と熟練者との間の不均衡を解消することができる。また、所定の役が内部当籤役として決定されたことの報知は、内部抽籤手段により決定された内部当籤役に対応した図柄組合せが図柄表示領域に表示されていないと判定されるたびに数値格納手段に加算され、その加算された数値に基づいて所定の条件により行われる。これにより、遊技機は、取りこぼしが発生するごとに加算され蓄積された多数の数値に基づき、遊技者に対し報知を受ける権利を多数付与することができる。したがって、遊技者が取りこぼしを発生させた場合であっても落胆させることなく、その後の遊技において行われる可能性がある多数の報知による支援に大きな期待感を持たせて、遊技に対する期待感を高めることができる可能な遊技機を提供することができる。
【００１０】
（２）  （１）に記載の遊技機において、前記入賞判定手段により判定された図柄組合せに応じて遊技価値を含む利益を付与する利益付与手段（例えば、後述の図２２のＳ１１の処理を行う手段、後述の主制御回路７１等）と、投入された遊技価値の総数と前記利益付与手段により付与された遊技価値の総数とから算出される値を調整するために用いる設定値（例えば、後述の設定値等）が複数の段階（例えば、１、４、６、Ｈの４段階）に対応して設けられ、前記複数の段階から所定の段階を設定する設定手段（例えば、後述の主制御回路７１等）と、前記設定手段により設定される前記所定の段階の設定値に応じて、前記数値加算手段により加算される各内部当籤役に対応する数値の比率を決定する数値比率決定手段（例えば、後述の図３３のＳ３５４の処理を行う手段、後述の副制御回路７２等）と、を備えることを特徴とする遊技機。
【００１１】
（２）記載の遊技機によれば、数値比率決定手段は、設定手段により設定される所定の段階の設定値に応じて、数値加算手段により加算される各内部当籤役に対応する数値の比率を決定する。
【００１２】
このため、遊技者は報知される回数を確認することにより、遊技者にとって有利な設定値であるか否かを推測することができる。また、例えば設定値を低く設定して、数値加算手段に加算される各内部当籤役に対応する数値の比率を高くした場合には、利益付与手段により遊技者に対し付与される遊技価値が少なくなる。その一方で、その後に行われる所定の役が内部当籤役として決定されたときの報知を受ける回数を多くすることができる。これにより、遊技者にとって不利な設定値である場合にあっても、多数の報知による支援に大きな期待感を持たせて、遊技に対する期待感を高めることが可能な遊技機を提供することができる。
【発明の効果】
【００１３】
本発明によれば、遊技者の停止操作の技量により生ずる不均衡を解消するとともに、遊技に対する期待感を高めることができる。
【発明を実施するための最良の形態】
【００１４】
［パチスロの機能フロー］
本発明の遊技機に係る実施の形態について、以下図面を参照しながら説明する。はじめに、図１を参照して、本実施の形態における遊技機（以下、パチスロ）１の機能フローについて説明する。
【００１５】
遊技者によりメダルが投入され、スタートレバー６が操作されると、予め定められた数値の範囲（例えば、０〜６５５３５）の乱数から１つの値（以下、乱数値）が抽出される。
【００１６】
内部抽籤手段（後述のメインＣＰＵ３１）は、抽出された乱数値に基づいて抽籤を行い、内部当籤役を決定する。内部当籤役の決定により、後述の入賞判定ラインに沿って表示を行うことを許可する図柄の組合せが決定される。尚、図柄の組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００１７】
続いて、複数のリール３Ｌ，３Ｃ，３Ｒの回転が行われた後で、遊技者によりストップボタン７Ｌ，７Ｃ，７Ｒが押されると、リール停止制御手段（後述のモータ駆動回路３９、後述のステッピングモータ４９Ｌ，４９Ｃ，４９Ｒ）は、内部当籤役とストップボタンが押されたタイミングとに基づいて、該当するリールの回転を停止する制御を行う。
【００１８】
ここで、パチスロ１では、基本的に、ストップボタンが押されたときから規定時間（１９０ｍｓｅｃ）内に、該当するリールの回転を停止する制御が行われる。本実施の形態では、上記規定時間内でのリール３Ｌ，３Ｃ，３Ｒの回転に伴って移動する図柄の数を「滑り駒数」と呼び、その最大数を図柄４個分に定める。
【００１９】
リール停止制御手段は、入賞に係る図柄の組合せの表示を許可する内部当籤役が決定されているときでは、上記規定時間を利用して、その図柄の組合せが入賞判定ラインに沿って極力表示されるようにリール３Ｌ，３Ｃ，３Ｒの回転を停止する。その一方で、内部当籤役によってその表示が許可されていない図柄の組合せについては、上記規定時間を利用して、入賞判定ラインに沿って表示されることがないようにリール３Ｌ，３Ｃ，３Ｒの回転を停止する。
【００２０】
こうして、複数のリール３Ｌ，３Ｃ，３Ｒの回転が全て停止されると、入賞判定手段（後述のメインＣＰＵ３１）は、入賞判定ラインに沿って表示された図柄の組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００２１】
数値加算手段は、内部抽籤手段により決定された内部当籤役に対応した図柄組合せが入賞判定ラインに沿って表示されていないと入賞判定手段により判定されたことを条件に、この内部当籤役に対応した数値を加算する。そして、加算された数値に基づいて、内部抽籤手段により所定の役が内部当籤役として決定されたことの報知を行う。
【００２２】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
【００２３】
遊技者によりスタートレバー６が操作されると、前述の内部当籤役の決定に用いられた乱数値とは別に、演出用の乱数値（以下、演出用乱数値）が抽出される。演出用乱数値が抽出されると、演出内容決定手段（後述のサブＣＰＵ８１）は、内部当籤役に対応づけられた複数種類の演出内容の中から今回実行するものを抽籤により決定する。
【００２４】
演出内容が決定されると、演出実行手段（後述の液晶表示装置５、後述のスピーカ９Ｌ，９Ｒ、後述のランプ１４）は、リール３Ｌ，３Ｃ，３Ｒの回転が開始されるとき、各リール３Ｌ，３Ｃ，３Ｒの回転がそれぞれ停止されるとき、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべき図柄の組合せ）を知る或いは予想する機会が遊技者に提供され、遊技者の興味の向上が図られる。
【００２５】
［パチスロの構造］
パチスロ１の機能フローについての説明は以上である。次に、図２及び図３を参照して、本実施の形態におけるパチスロ１の構造について説明する。
【００２６】
＜パチスロの外部構造＞
図２は、本実施の形態におけるパチスロ１の外部構造を示す。
【００２７】
（リールと表示窓）
パチスロ１は、リール３Ｌ，３Ｃ，３Ｒや回路基板等を収容するキャビネット１ａと、キャビネット１ａに対して開閉可能に取り付けられるフロントドア２とを備える。キャビネット１ａの内部には、３つのリール３Ｌ，３Ｃ，３Ｒが横並びに設けられている。各リール３Ｌ，３Ｃ，３Ｒは、円筒状のフレームの周面に、複数の図柄（例えば２１個）が回転方向に沿って連続的に配された帯状のシートを貼り付けて構成されている。
【００２８】
フロントドア２の中央には、液晶表示装置５が設けられている。液晶表示装置５は、図柄表示領域２１Ｌ，２１Ｃ，２１Ｒを含む表示画面５ａを備え、正面から見て３つのリール３Ｌ，３Ｃ，３Ｒに重畳する手前側に位置するように設けられている。図柄表示領域２１Ｌ，２１Ｃ，２１Ｒは、３つのリール３Ｌ，３Ｃ，３Ｒのそれぞれに対応して設けられており、その背後に設けられたリール３Ｌ，３Ｃ，３Ｒを透過することが可能な構成を備えている。
【００２９】
つまり、図柄表示領域２１Ｌ，２１Ｃ，２１Ｒは、表示窓としての機能を果たすものであり、その背後に設けられたリール３Ｌ，３Ｃ，３Ｒの回転及びその停止の動作が遊技者側から視認可能となる。また、本実施の形態では、図柄表示領域２１Ｌ，２１Ｃ，２１Ｒを含めた表示画面５ａの全体を使って、映像の表示が行われ、演出が実行される。
【００３０】
図柄表示領域（以下、表示窓）２１Ｌ，２１Ｃ，２１Ｒは、その背後に設けられたリール３Ｌ，３Ｃ，３Ｒの回転が停止されたとき、リール３Ｌ，３Ｃ，３Ｒの表面に配された複数種類の図柄のうち、その枠内における上段、中段及び下段の各領域にそれぞれ１個の図柄（合計で３個）を表示する。また、各表示窓２１Ｌ，２１Ｃ，２１Ｒが有する上段、中段及び下段からなる３つの領域のうち予め定められた何れかをそれぞれ組合せてなる擬似的なラインを、入賞か否かの判定を行う対象となるライン（入賞判定ライン）として定義する。
【００３１】
本実施の形態では、各表示窓２１Ｌ，２１Ｃ，２１Ｒの上段を組合せてなるトップライン８ｂ、各表示窓２１Ｌ，２１Ｃ，２１Ｒの中段を組合せてなるセンターライン８ｃ、各表示窓２１Ｌ，２１Ｃ，２１Ｒの下段を組合せてなるボトムライン８ｄ、左表示窓２１Ｌの上段、中表示窓２１Ｃの中段及び右表示窓２１Ｒの下段を組合せてなるクロスダウンライン８ｅ、左表示窓２１Ｌの下段、中表示窓２１Ｃの中段及び右表示窓２１Ｒの上段を組合せてなるクロスアップライン８ａの５つを入賞判定ラインとして設けている。
【００３２】
（操作装置）
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入されることとなり、所定枚数を超えた分はパチスロ１内部に預けることが可能となる（いわゆるクレジット機能）。
【００３３】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００３４】
スタートレバー６は、全てのリール３Ｌ，３Ｃ，３Ｒの回転を開始するために設けられる。ストップボタン７Ｌ，７Ｃ，７Ｒは、３つのリール３Ｌ，３Ｃ，３Ｒのそれぞれに対応づけられ、対応するリール３Ｌ，３Ｃ，３Ｒの回転を停止するために設けられる。
【００３５】
（その他装置）
７セグ表示器１３は、７セグメントＬＥＤからなり、今回の遊技に投入されたメダルの枚数（以下、投入枚数）、特典として遊技者に対して払い出すメダルの枚数（以下、払出枚数）、パチスロ１内部に預けられているメダルの枚数（以下、クレジット枚数）等の情報を遊技者に対してデジタル表示する。
【００３６】
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、後述のメダル払出装置４０（後述の図３参照）の駆動により排出されるメダルを外部に導く。メダル払出口１５から排出されたメダルは、メダル受皿１６に貯められる。
【００３７】
＜パチスロの内部構造＞
図３は、本実施の形態におけるパチスロ１の内部構造を示す。フロントドア２が開放され、フロントドア２の裏面側の構造及びキャビネット１ａ内部の構造が現れた状態が示されている。
【００３８】
キャビネット１ａ内部の上方には、主制御回路７１（後述の図４参照）が形成された基板（以下、主基板７１Ａ）が設けられている。主制御回路７１は、内部当籤役の決定、リール３Ｌ，３Ｃ，３Ｒの回転及び停止、入賞の有無の判定といった、パチスロ１における遊技の主な流れを制御する回路である。主制御回路７１の具体的な構成は後述する。
【００３９】
キャビネット１ａ内部の中央には、３つのリール３Ｌ，３Ｃ，３Ｒが設けられている。リール３Ｌ，３Ｃ，３Ｒのそれぞれには、所定の減速比をもったギアを介してステッピングモータ４９Ｌ，４９Ｃ，４９Ｒ（後述の図４参照）が接続されている。
【００４０】
３つのリール３Ｌ，３Ｃ，３Ｒの左側には、副制御回路７２（後述の図４参照）が形成された基板（以下、副基板７２Ａ）が設けられている。副制御回路７２は、映像の表示等による演出の実行を制御する回路である。副制御回路７２の具体的な構成は後述する。
【００４１】
キャビネット１ａ内部の下方には、多量のメダルを収容可能で、それらを１枚ずつ排出可能な構造を有するメダル払出装置（以下、ホッパー）４０が設けられている。ホッパー４０の左側には、パチスロ１が有する各装置に対して必要な電力を供給するための電源装置４３が設けられている。
【００４２】
フロントドア２裏側の中央、表示窓２１Ｌ，２１Ｃ，２１Ｒの下方には、セレクタ４２が設けられている。セレクタ４２は、材質や形状等が適正であるメダルか否かを選別する装置であり、メダル投入口１０に受け入れられた適正なメダルをホッパー４０へ案内する。尚、セレクタ４２内においてメダルが通過する経路上には、後述のメダルセンサ４２Ｓ（後述の図４参照）が設けられており、適正なメダルが通過したことを検出する。
【００４３】
［パチスロが備える回路の構成］
パチスロ１の構造についての説明は以上である。次に、図４及び図５を参照して、本実施の形態におけるパチスロ１が備える回路の構成について説明する。本実施の形態におけるパチスロ１は、主制御回路７１、副制御回路７２及びこれらと電気的に接続する周辺装置（アクチュエータ）を備える。
【００４４】
＜主制御回路＞
図４は、本実施の形態におけるパチスロ１の主制御回路７１の構成を示す。
【００４５】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２及びＲＡＭ（以下、メインＲＡＭ）３３により構成される。
【００４６】
メインＲＯＭ３２には、メインＣＰＵ３１により実行される制御プログラム（後述の図１６〜図２２参照）、内部抽籤テーブル（後述の図９及び図１０参照）等のデータテーブル（後述の図６〜図１２参照）、副制御回路７２に対して各種制御指令（コマンド）を送信するためのデータ等が記憶されている。メインＲＡＭ３３には、制御プログラムの実行により決定された内部当籤役等の各種データを格納する格納領域（後述の図１３〜図１５参照）が設けられる。
【００４７】
（乱数発生器等）
メインＣＰＵ３１には、クロックパルス発生回路３４、分周器３５、乱数発生器３６及びサンプリング回路３７が接続されている。クロックパルス発生回路３４及び分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００４８】
（スイッチ等）
マイクロコンピュータ３０の入力ポートには、スイッチ等が接続されている。メインＣＰＵ３１は、スイッチ等の入力を受けて、ステッピングモータ４９Ｌ，４９Ｃ，４９Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００４９】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００５０】
設定スイッチ２６は、遊技店側が管理する設定キーが設定用鍵穴に差し込まれて右方向（「ＯＮ」の方向）に回動された状態で遊技機１の電源が投入される設定値変更操作を検出する。リセットスイッチ２７は、設定スイッチ２６により設定値変更操作の検出が行われると、遊技者にとっての有利さの度合を区別するための指標である設定値を決定するために設けられたリセットボタン（図示せず）の押圧操作を検出する。リセットボタンの押圧操作がリセットスイッチ２７により検出されると、遊技情報表示部（図示せず）に表示される設定値が「１」、「４」、「６」、「Ｈ」の範囲で増減する。
【００５１】
実施例では、設定値変更操作及びリセットボタンの押圧操作が行われ、遊技情報表示部に表示される設定値が所望の設定値となったときにスタートレバー６の操作が行われることにより、所望の設定値を設定することができる。すなわち、これらの操作により、設定値「１」、「４」、「６」、「Ｈ」の４つの段階のうちから何れかの段階を設定値として決定することができる。その後、左方向（「ＯＦＦ」の方向）に回動された状態で設定キーを引き抜く操作が行われると、設定した設定値で、遊技者が操作を行うことが可能な状態となる。これらの操作を行うことにより、メインＣＰＵ３１により内部当籤役が決定される確率を調整し、遊技者に払出されたメダルの総数（すなわち、総払出数）とパチスロ１に投入されたメダルの総数（すなわち、総投入枚数）とから算出される値（例えば、ペイアウト率、機械割）を調整することができる。
【００５２】
（周辺装置及び回路）
マイクロコンピュータ３０により動作が制御される周辺装置としては、ステッピングモータ４９Ｌ，４９Ｃ，４９Ｒ、７セグ表示器１３及びホッパー４０がある。また、マイクロコンピュータ３０の出力ポートには、各周辺装置の動作を制御するための回路が接続されている。
【００５３】
モータ駆動回路３９は、各リール３Ｌ，３Ｃ，３Ｒに対応して設けられたステッピングモータ４９Ｌ，４９Ｃ，４９Ｒの駆動を制御する。リール位置検出回路５０は、発光部と受光部とを有する光センサにより、リール３Ｌ，３Ｃ，３Ｒが一回転したことを示すリールインデックスを各リール３Ｌ，３Ｃ，３Ｒに応じて検出する。
【００５４】
ステッピングモータ４９Ｌ，４９Ｃ，４９Ｒは、運動量がパルスの出力数に比例し、回転軸を指定された角度で停止させることが可能な構成を備えている。ステッピングモータ４９Ｌ，４９Ｃ，４９Ｒの駆動力は、所定の減速比をもったギアを介してリール３Ｌ，３Ｃ，３Ｒに伝達される。ステッピングモータ４９Ｌ，４９Ｃ，４９Ｒに対して１回のパルスが出力されるごとに、リール３Ｌ，３Ｃ，３Ｒは一定の角度で回転する。
【００５５】
メインＣＰＵ３１は、リールインデックスを検出してからステッピングモータ４９Ｌ，４９Ｃ，４９Ｒに対してパルスを出力した回数をカウントすることによって、リール３Ｌ，３Ｃ，３Ｒの回転角度（主に、リール３Ｌ，３Ｃ，３Ｒが図柄何個分だけ回転したか）を管理し、リール３Ｌ，３Ｃ，３Ｒの表面に配された各図柄の位置を管理するようにしている。
【００５６】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００５７】
＜副制御回路＞
図５は、本実施の形態におけるパチスロ１の副制御回路７２の構成を示す。
【００５８】
副制御回路７２は、主制御回路７１と電気的に接続されており、主制御回路７１から送信されるコマンドに基づいて演出内容の決定や実行等の処理を行う。副制御回路７２は、基本的に、ＣＰＵ（以下、サブＣＰＵ）８１、ＲＯＭ（以下、サブＲＯＭ）８２、ＲＡＭ（以下、サブＲＡＭ）８３、レンダリングプロセッサ８４、描画用ＲＡＭ８５、ドライバ８７、ＤＳＰ（デジタルシグナルプロセッサ）８８、オーディオＲＡＭ８９、Ａ／Ｄ変換器９０及びアンプ９１を含んで構成されている。
【００５９】
サブＣＰＵ８１は、主制御回路７１から送信されたコマンドに応じて、サブＲＯＭ８２に記憶されている制御プログラム（後述の図２９〜図３４参照）に従い、映像、音、光の出力の制御を行う。サブＲＡＭ８３は、決定された演出内容や演出データを登録する格納領域や、主制御回路７１から送信される内部当籤役等の各種データを格納する格納領域が設けられている。サブＲＯＭ８２は、基本的に、プログラム記憶領域とデータ記憶領域によって構成される。
【００６０】
プログラム記憶領域には、サブＣＰＵ８１が実行する制御プログラムが記憶されている。例えば、制御プログラムには、主制御回路７１との通信を制御するための主基板通信タスク（後述の図２９参照）や、演出用乱数値を抽出し、演出内容（演出データ）の決定及び登録を行うための演出登録タスク（後述の図３０参照）、決定した演出内容に基づいて液晶表示装置５による映像の表示を制御する描画制御タスク、ランプ１４による光の出力を制御するランプ制御タスク、スピーカ９Ｌ，９Ｒによる音の出力を制御する音声制御タスク等が含まれる。
【００６１】
データ記憶領域は、各種データテーブルを記憶する記憶領域、各演出内容を構成する演出データを記憶する記憶領域、映像の作成に関するアニメーションデータを記憶する記憶領域、ＢＧＭや効果音に関するサウンドデータを記憶する記憶領域、光の点消灯のパターンに関するランプデータを記憶する記憶領域等が含まれている。
【００６２】
また、副制御回路７２には、その動作が制御される周辺装置として、液晶表示装置５、スピーカ９Ｌ，９Ｒ及びランプ１４が接続されている。
【００６３】
サブＣＰＵ８１、レンダリングプロセッサ８４、描画用ＲＡＭ８５（フレームバッファ８６を含む）及びドライバ８７は、演出内容により指定されたアニメーションデータに従って映像を作成し、作成した映像を液晶表示装置５により表示する。
【００６４】
また、サブＣＰＵ８１、ＤＳＰ８８、オーディオＲＡＭ８９、Ａ／Ｄ変換器９０及びアンプ９１は、演出内容により指定されたサウンドデータに従ってＢＧＭ等の音をスピーカ９Ｌ，９Ｒにより出力する。また、サブＣＰＵ８１は、演出内容により指定されたランプデータに従ってランプ１４の点灯及び消灯を行う。
【００６５】
［メインＲＯＭに記憶されているデータテーブルの構成］
パチスロ１が備える回路の構成についての説明は以上である。次に、図６〜図１５を参照して、メインＲＯＭ３２に記憶されている各種データテーブルの構成について説明する。
【００６６】
［図柄配置テーブル］
図６を参照して、図柄配置テーブルについて説明する。図柄配置テーブルは、各リール３Ｌ，３Ｃ，３Ｒの回転方向における各図柄の図柄位置と、各位置に配された図柄の種類を特定するデータ（以下、図柄コード）とを規定している。
【００６７】
図柄配置テーブルは、リールインデックスが検出されるときに表示窓２１Ｌ，２１Ｃ，２１Ｒ内の中段に存在する図柄の位置を「０」として、リール３Ｌ，３Ｃ，３Ｒの回転方向に進む順に、各図柄の位置に対して「０」〜「２０」をそれぞれ割り当てている。したがって、リールインデックスが検出されてから図柄何個分の回転が行われたかを管理しつつ、図柄配置テーブルを参照することによって、主として表示窓２１Ｌ，２１Ｃ，２１Ｒの中段に存在する図柄の位置及びその図柄の種類を常に管理することが可能となっている。
【００６８】
［図柄組合せテーブル］
図７を参照して、図柄組合せテーブルについて説明する。本実施の形態では、入賞判定ラインに沿って各リール３Ｌ，３Ｃ，３Ｒにより表示される図柄の組合せが、図柄組合せテーブルにより規定されている図柄の組合せと一致する場合に、入賞と判定され、メダルの払い出し、再遊技の作動、ボーナスゲームの作動といった特典が遊技者に対して与えられる。
【００６９】
図柄組合せテーブルは、特典の種類に応じて予め定められた図柄の組合せと、表示役と、払出枚数とを規定している。表示役は、入賞判定ラインに沿って表示された図柄の組合せを識別するデータである。
【００７０】
表示役は、各ビットに対して固有の図柄の組合せが割り当てられた１バイトのデータとして表される。例えば、各リール３Ｌ，３Ｃ，３Ｒの図柄「ベル」が入賞判定ラインに沿って表示されたとき、表示役として「ベル（００００００１０）」が決定される。
【００７１】
また、払出枚数として１以上の数値が決定された場合、メダルの払い出しが行われる。本実施の形態では、表示役としてチェリー、ベル又はスイカが決定されたときメダルの払い出しが行われる。また、払出枚数は、投入枚数に応じて規定されており、基本的に投入枚数が少ないときの方がより多くの払出枚数が決定される。
【００７２】
また、表示役としてリプレイが決定されたとき、再遊技の作動が行われる。表示役としてＢＢが決定されたとき、ボーナスの作動が行われる。
【００７３】
また、表示役としてＪＡＣＫＰＯＴが決定されたとき、後述のナビポイントが１以上である場合には、後述のナビポイント格納領域に格納されているナビポイントに応じて遊技者に対し決定された内部当籤役の報知が行われる。表示役としてＪＡＣＫＰＯＴが決定されたときには、メダルの払出は行われない。尚、入賞判定ラインに沿って表示された図柄の組合せが、図柄組合せテーブルにより規定されている図柄の組合せの何れとも一致しない場合には、いわゆる「ハズレ」となる。
【００７４】
［ボーナス作動時テーブル］
図８を参照して、ボーナス作動時テーブルについて説明する。ボーナス作動時テーブルは、ボーナスの作動が行われるときに、メインＲＡＭ３３に設けられた各種格納領域に格納するデータを規定している。
【００７５】
作動中フラグは、作動が行われるボーナスの種類を識別するためのデータである。本実施の形態では、ボーナスの種類としてＢＢ（第１種特別役物に係る役物連続作動装置）及びＲＢ（第１種特別役物）を設けている。ＲＢの作動は、ＢＢの作動が行われている間、連続的に行われる。
【００７６】
ＢＢの作動は、規定枚数（本実施の形態では、３４６枚）に達するメダルの払い出しが行われた場合に終了する。ＲＢの作動は、規定回数（本実施の形態では、８回）に達する遊技が行われた場合、規定回数（本実施の形態では、８回）に達する入賞が有った場合、又は、ＢＢの作動が終了した場合の何れかによって終了する。ボーナス終了枚数カウンタ、遊技可能回数カウンタ及び入賞可能回数カウンタは、ボーナスの終了契機となる上記規定枚数或いは上記規定回数に達したか否かを管理するためのデータである。
【００７７】
より具体的には、ボーナス作動時テーブルにより規定されている数値が上記各カウンタに格納され、ボーナスの作動を通じてその減算が行われていく。その結果、各カウンタの値が「０」に更新されたことを条件に該当ボーナスの作動が終了する。
【００７８】
［内部抽籤テーブル］
図９〜図１３を参照して、内部抽籤テーブルについて説明する。内部抽籤テーブルは、当籤番号に応じて、データポインタと抽籤値とを規定している。データポインタは、内部抽籤テーブルを参照して行う抽籤の結果として取得されるデータであり、後述の内部当籤役決定テーブルにより規定されている内部当籤役を指定するためのデータである。データポインタには、小役・リプレイ用データポインタ及びボーナス用データポインタが設けられている。
【００７９】
本実施の形態では、予め定められた数値の範囲「０〜６５５３５」から抽出される乱数値を、各当籤番号に応じた抽籤値で順次減算し、減算の結果が負となったか否か（いわゆる「桁かり」が生じたか否か）の判定を行うことによって内部的な抽籤が行われる。
【００８０】
したがって、抽籤値として規定されている数値が大きいほど、これが割り当てられたデータ（つまり、データポインタ）が決定される確率が高い。尚、各当籤番号の当籤確率は、「各当籤番号に対応する抽籤値／抽出される可能性のある全ての乱数値の個数（６５５３６）」によって表すことができる。
【００８１】
図９は、設定値が１である場合の一般遊技状態用内部抽籤テーブルを示し、設定値が１であり、一般遊技状態である場合に参照される。図１０は、設定値が４である場合の一般遊技状態用内部抽籤テーブルを示し、設定値が４であり、一般遊技状態である場合に参照される。図１１は、設定値が６である場合の一般遊技状態用内部抽籤テーブルを示し、設定値が６であり、一般遊技状態である場合に参照される。図１２は、設定値がＨである場合の一般遊技状態用内部抽籤テーブルを示し、設定値がＨであり、一般遊技状態である場合に参照される。図１３は、ＲＢ作動中用内部抽籤テーブルを示し、ＲＢ作動中である場合に参照される。本実施の形態では、ボーナスの作動が行われているか否かといった状況に応じて、複数種類の内部抽籤テーブルを使い分けることにより、決定される内部当籤役の種類や当籤確率を変動させ、この結果、遊技者が抱く期待に起伏が生じるようにしている。
【００８２】
図９のテーブルでは、設定値が１である場合に対応する情報を示し、図１０のテーブルでは、設定値が４である場合に対応する情報を示し、図１１のテーブルでは、設定値が６である場合に対応する情報を示し、図１２のテーブルでは、設定値がＨである場合に対応する情報を示しているが、実際には、設定値の各々に対応する情報を備えている。設定値は、遊技者の有利さの度合いを区別するための指標であり、本実施例では、設定値として設定値１と、この設定値１よりも有利な設定値４と、この設定値４よりも有利な設定値６と、この設定値６よりも有利な設定値Ｈと、の４段階が設けられている。
【００８３】
ここで、設定値が１〜Ｈである場合の一般遊技状態用内部抽籤テーブル（図９〜図１２）を比較すると、設定値が４である場合の一般遊技状態用内部抽籤テーブル（図１０）を使用するときは、設定値が１である場合の一般遊技状態用内部抽籤テーブル（図９）を使用するときに比べ、当籤番号１〜４及び６に対応する抽籤値の値が高い。また、設定値が６である場合の一般遊技状態用内部抽籤テーブル（図１１）を使用するときは、設定値が４である場合の一般遊技状態用内部抽籤テーブル（図１０）を使用するときに比べ、当籤番号１〜４及び６に対応する抽籤値の値が高い。また、設定値がＨである場合の一般遊技状態用内部抽籤テーブル（図１２）を使用するときは、設定値が６である場合の一般遊技状態用内部抽籤テーブル（図１１）を使用するときに比べ、当籤番号１〜４及び６に対応する抽籤値の値が高い。したがって、設定値が１、４、６、Ｈの順で各当籤番号に対応する内部当籤役が決定する確率が高く、遊技者に対し遊技媒体の払出が行われる確率が高いという利益を得ることができるため、設定値は、１，４，６、Ｈの順で遊技者にとって有利といえる。
【００８４】
また、当籤番号５に対する設定値が１〜Ｈである場合の一般遊技状態用内部抽籤テーブル（図９〜図１２）を比較する。設定値が４である場合の一般遊技状態用内部抽籤テーブル（図１０）及び、設定値がＨである場合の一般遊技状態用内部抽籤テーブル（図１２）を使用するときは、設定値が１である場合の一般遊技状態用内部抽籤テーブル（図９）及び、設定値が６である場合の一般遊技状態用内部抽籤テーブル（図１１）を使用するときに比べ、当籤番号５に対応する抽籤値の値が２倍高い。したがって、設定値が４及びＨである場合の一般遊技状態では、設定値が１及び６である場合の一般遊技状態に比べ、内部当籤役としてＪＡＣＫＰＯＴに当籤する確率が高く、後述のＪＡＣＫＰＯＴ演出が行われる確率が高い。  
【００８５】
［内部当籤役決定テーブル］
図１４及び図１５を参照して、内部当籤役決定テーブルについて説明する。内部当籤役決定テーブルは、データポインタに応じて内部当籤役を規定している。データポインタが決定されると、内部当籤役が一義的に取得される構成となっている。
【００８６】
内部当籤役は、入賞判定ラインに沿って表示を許可する各リール３Ｌ，３Ｃ，３Ｌの図柄の組合せを識別するデータである。内部当籤役は、表示役と同様に、各ビットに対して固有の図柄の組合せが割り当てられた１バイトのデータとして表される。尚、データポインタが「０」のとき、内部当籤役の内容は「ハズレ」となるが、これは前述の図柄組合せテーブルにより規定されている図柄の組合せの表示が何れも許可されないことを示す。
【００８７】
図１４は、小役・リプレイ用内部当籤役決定テーブルを示す。小役・リプレイ用内部当籤役決定テーブルは、メダルの払い出しに係る内部当籤役、再遊技の作動に係る内部当籤役又はＪＡＣＫＰＯＴ演出の作動に係る内部当籤役を規定している。図１５は、ボーナス用内部当籤役決定テーブルを示す。ボーナス用内部当籤役決定テーブルは、ボーナスの作動に係る内部当籤役を規定している。
【００８８】
ここで、チェリーが内部当籤役として決定されたときの、停止開始位置と左リール３Ｌの図柄停止位置との関係について説明する。
【００８９】
図柄組合せテーブル（図７）を参照すると、左リール３Ｌでは、チェリーに対応する図柄組合せを構成する図柄は“チェリー”である。そこで、図柄配置テーブル（図６）を参照すると、左リール３Ｌでは、“チェリー”に対応する図柄位置は「１６」と「３」の二箇所である。そのため、図柄位置「１６」に対応する図柄の図柄停止位置についてみると、左リール３Ｌでの停止開始位置が「１１」〜「１５」である場合には、“チェリー”が左の表示窓２１Ｌの上段の図柄停止位置に停止する。また、左リール３Ｌでの停止開始位置が「１６」である場合には、“チェリー”が左の表示窓２１Ｌの中段の図柄停止位置に停止し、左リール３Ｌでの停止開始位置が「１７」である場合には、“チェリー”が左の表示窓２１Ｌの下段の図柄停止位置に停止する。
【００９０】
また、図柄位置「３」に対応する図柄の図柄停止位置についてみると、左リール３Ｌでの停止開始位置が「１９」〜「２」である場合には、“チェリー”が左の表示窓２１Ｌの上段の図柄停止位置に停止する。また、左リール３Ｌでの停止開始位置が「３」である場合には、“チェリー”が左の表示窓２１Ｌの中段の図柄停止位置に停止し、左リール３Ｌでの停止開始位置が「４」である場合には、“チェリー”が左の表示窓２１Ｌの下段の図柄停止位置に停止する。これに対し、左リールでの停止開始位置が「５」〜「１０」又は「１８」である場合には、たとえチェリーが内部当籤役として決定されていても、“チェリー”が左の表示窓２１Ｌの図柄停止位置に停止する場合はない。したがって、表示役としてチェリーを成立させるためには、チェリーが内部当籤役として決定されることに加え、停止ボタン７Ｌを適切に操作することが求められる。
【００９１】
次に、ＢＢが内部当籤役として決定されたときの、停止開始位置と左リール３Ｌの図柄停止位置との関係について説明する。
【００９２】
図柄組合せテーブル（図７）を参照すると、左リール３Ｌでは、ＢＢに対応する図柄組合せを構成する図柄は“赤７”である。そこで、図柄配置テーブル（図６）を参照すると、左リール３Ｌでは、“赤７”に対応する図柄位置は「２０」の一箇所である。そのため、図柄位置「２０」に対応する図柄の図柄停止位置についてみると、左リール３Ｌでの停止開始位置が「１５」〜「１９」である場合には、“赤７”が左の表示窓２１Ｌの上段の図柄停止位置に停止する。また、左リール３Ｌでの停止開始位置が「２０」である場合には、“赤７”が左の表示窓２１Ｌの中段の図柄停止位置に停止し、左リール３Ｌでの停止開始位置が「０」である場合には、“赤７”が左の表示窓２１Ｌの下段の図柄停止位置に停止する。これに対し、左リールでの停止開始位置が「１」〜「１４」である場合には、たとえＢＢが内部当籤役として決定されていても、“赤７”が左の表示窓２１Ｌの図柄停止位置に停止する場合はない。したがって、表示役としてＢＢを成立させるためには、ＢＢが内部当籤役として決定されることに加え、停止ボタン７Ｌを適切に操作することが求められる。
【００９３】
［メインＲＡＭに設けられる格納領域の構成］
メインＲＯＭ３２に記憶されているデータテーブルの内容についての説明は以上である。次に、図１６〜図１８を参照して、メインＲＡＭ３３に設けられている各種格納領域の構成について説明する。
【００９４】
［内部当籤役格納領域］
図１６を参照して、内部当籤役格納領域の構成について説明する。内部当籤役格納領域は、前述の１バイトのデータにより表される内部当籤役を格納する。ビットに「１」が立っているとき、該当する図柄の組合せの表示が許可される。尚、全ビットが「０」であるとき、その内容はハズレとなる。
【００９５】
尚、メインＲＡＭ３３には、前述の表示役が格納される表示役格納領域が設けられている。表示役格納領域の構成は、内部当籤役格納領域の構成と同様となっている。ビットに「１」が立っているとき、該当する図柄の組合せが入賞判定ラインに沿って表示されたことになる。
【００９６】
［持越役格納領域］
図１７を参照して、持越役格納領域の構成について説明する。
【００９７】
前述の抽籤の結果、ボーナスの作動に係る内部当籤役が決定されたときは、これが持越役格納領域に格納される。持越役格納領域に格納されたボーナスの作動に係る内部当籤役（以下、持越役）は、対応する図柄の組合せが入賞判定ラインに表示されるまで、その内容がクリアされずに保持される構成となっている。そして、持越役格納領域に持越役が格納されている間は、前述の抽籤の結果にかかわらず、これが内部当籤役格納領域に格納される。
【００９８】
［作動中フラグ格納領域］
図１８を参照して、作動中フラグ格納領域の構成について説明する。
【００９９】
作動中フラグ格納領域は、１バイトからなる作動中フラグを格納する。作動中フラグは、各ビットに対して固有のボーナスが割り当てられている。ビットに「１」が立っているとき、該当するボーナスの作動が行われている。尚、全ビットが「０」であるときの状態を一般遊技状態と定義する。
【０１００】
［サブＲＯＭに記憶されているデータテーブルの構成］
メインＲＡＭ３３に設けられる各種格納領域の構成についての説明は以上である。次に、図１９〜図２１を参照して、サブＲＯＭ８２に記憶されている各種データテーブルの構成について説明する。
【０１０１】
［ナビポイント付与テーブル］
図１９を参照してナビポイント付与テーブルについて説明する。ナビポイント付与テーブルは内部当籤役の種別ごとに、内部当籤役に対応するナビポイントの情報を備えており、後述の表示役コマンド受信時処理（図３３）において、内部当籤役に対応したナビポイントを決定する場合に参照される。
【０１０２】
「ナビポイント」とは、内部当籤役として決定された役を表示役として成立するように停止操作を行う為の情報を報知する回数をいい、内部当籤役の種別に応じて、付与されるナビポイントの値が異なるように構成されている。
【０１０３】
例えば、内部当籤役としてチェリーが決定されたが、遊技者の停止ボタン７Ｌ、７Ｃ、７Ｒの停止操作のタイミングにより表示役としてチェリーが決定されなかった場合には、ナビポイントの値として「３」が決定される。また、内部当籤役としてＢＢが決定されたが遊技者の停止ボタン７Ｌ、７Ｃ、７Ｒの停止操作のタイミングにより表示役としてＢＢが決定されなかった場合には、ナビポイントの値として「４」が決定される。
【０１０４】
したがって、内部当籤役として決定されたが遊技者の停止ボタン７Ｌ、７Ｃ、７Ｒの停止操作のタイミングにより表示役として決定されなかった内部当籤役の種別に応じて異なるナビポイントが決定される。
【０１０５】
［ナビポイント変動テーブル］
図２０を参照してナビポイント変動テーブルについて説明する。ナビポイント変動テーブルは設定値の種別ごとに、設定値に対応する変動倍率の情報を備えており、後述の表示役コマンド受信時処理（図３３）において、設定値に対応した変動倍率を決定する場合に参照される。
【０１０６】
「変動倍率」とは、決定されたナビポイントの比率を決定するための値をいい、決定されたナビポイントを乗じる為の乗数をいう。この変動倍率は、設定値の種別に応じて決定される値が異なるように構成されている。
【０１０７】
例えば、設定値が「１」である場合には、ナビポイント変動テーブル（図２０）を参照して変動倍率として「３」が決定される。この場合、ナビポイント付与テーブル（図１９）を参照して決定されたナビポイントが「３」である場合には、このナビポイント「３」に決定された変動倍率「３」を乗じた値である「９」をナビポイント格納領域に格納する。また、設定値が「４」である場合には、ナビポイント変動テーブル（図２０）を参照して変動倍率として「１」が決定される。この場合、ナビポイント付与テーブル（図１９）を参照して決定されたナビポイントが「３」である場合には、このナビポイント「３」に決定された変動倍率「１」を乗じた値である「３」をナビポイント格納領域に格納する。また、設定値が「６」である場合には、ナビポイント変動テーブル（図２０）を参照して変動倍率として「３」が決定される。この場合、ナビポイント付与テーブル（図１９）を参照して決定されたナビポイントが「３」である場合には、このナビポイント「３」に決定された変動倍率「３」を乗じた値である「９」をナビポイント格納領域に格納する。また、設定値が「Ｈ」である場合には、ナビポイント変動テーブル（図２０）を参照して変動倍率として「２」が決定される。この場合、ナビポイント付与テーブル（図１９）を参照して決定されたナビポイントが「３」である場合には、このナビポイント「３」に決定された変動倍率「２」を乗じた値である「６」をナビポイント格納領域に格納する。
【０１０８】
したがって、設定値の種別に応じて異なる変動倍率が決定され、この変動倍率で決定されたナビポイントを乗じた値が後述の報知演出において使用される実際のナビポイントとしてナビポイント格納領域に格納される。
【０１０９】
［演出番号決定テーブル］
図２１を参照して、演出番号決定テーブルについて説明する。演出番号決定テーブルは、決定された内部当籤役を、遊技者に対して報知するために行うＪＡＣＫＰＯＴ演出において、内部当籤役に対応する演出番号の情報を備えており、後述の報知演出関連処理（図３２参照）において、内部当籤役に応じた演出番号を決定する場合に参照される。
【０１１０】
演出番号として「１」が決定されると、この場合、チェリーを告知するチェリー演出が行われる。例えば、このチェリーに対応する図柄の色を含む画像が、表示画面５ａに表示される。これにより、遊技者に対し、内部当籤役としてチェリーが決定されたことを把握させることができる。
【０１１１】
同様に、演出番号として「２」が決定されると、この場合、スイカを告知するスイカ演出が行われ、演出番号として「３」が決定されると、この場合、ベルを告知するベル演出が行われ、演出番号として「４」が決定されると、この場合、リプレイを告知するリプレイ演出が行われ、演出番号として「５」が決定されると、この場合、ＢＢを告知するＢＢ演出が行われる。
【０１１２】
これらのＪＡＣＫＰＯＴ演出では、表示画面５ａに画像表示される主人公キャラクタが打ち上げる花火の色で内部当籤役の種別が告知される（後述の図３５参照）。例えば、演出番号として「１」が決定され花火の色が赤である場合にはチェリーに対応する。また、演出番号として「２」が決定され花火の色が緑である場合にはスイカに対応し、演出番号として「３」が決定され花火の色が黄である場合にはベルに対応し、演出番号として「４」が決定され花火の色が白である場合にはリプレイに対応し、演出番号として「５」が決定され花火の色が金である場合にはＢＢに対応する。これにより、遊技者に対し、内部当籤役として決定された役を把握させることができる。
【０１１３】
［パチスロにおいて実行されるプログラムフロー］
サブＲＯＭ８２に記憶されているデータテーブルの内容についての説明は以上である。次に、図２２〜図２８を参照して、主制御回路７１のメインＣＰＵ３１により実行されるプログラムの内容について説明する。
【０１１４】
［主制御回路のメインＣＰＵの制御によるメインフローチャート］
まず、図２２を参照して、メインＣＰＵ３１の制御によるメインフローチャートについて説明する。パチスロ１に電源が投入されると、はじめに、メインＣＰＵ３１は、初期化処理を行う（Ｓ１）。次に、メインＣＰＵ３１は、メインＲＡＭ３３における指定格納領域のクリアを行う（Ｓ２）。この処理では、例えば、内部当籤役格納領域（図１６参照）や表示役格納領域（図１６参照）等、１回の遊技ごとに消去が必要となる格納領域に格納されたデータがクリアされる。
【０１１５】
次に、メインＣＰＵ３１は、後で図２３を参照して説明するメダル受付・スタートチェック処理を行う（Ｓ３）。この処理では、メダルセンサ４２Ｓやスタートスイッチ６Ｓの入力のチェック等が行われる。
【０１１６】
次に、メインＣＰＵ３１は、乱数値を抽出し、メインＲＡＭ３３に設けられた乱数値格納領域に格納する（Ｓ４）。次に、メインＣＰＵ３１は、後で図２４を参照して説明する内部抽籤処理を行う（Ｓ５）。この処理では、乱数値に基づいた抽籤により内部当籤役の決定が行われる。次に、メインＣＰＵ３１は、スタートコマンドを副制御回路７２に対して送信する（Ｓ６）。スタートコマンドは、内部当籤役等を特定するパラメータを含んで構成される。
【０１１７】
次に、メインＣＰＵ３１は、全リール３Ｌ，３Ｃ，３Ｒの回転開始を要求する（Ｓ７）。尚、全リール３Ｌ，３Ｃ，３Ｒの回転開始が要求されると、一定の周期（１．１１７３ｍｓｅｃ）で実行される割込処理（後述の図２８参照）によってステッピングモータ４９Ｌ，４９Ｃ，４９Ｒの駆動が制御され、各リール３Ｌ，３Ｃ，３Ｒの回転が開始される。
【０１１８】
次に、メインＣＰＵ３１は、後で図２５を参照して説明するリール停止制御処理を行う（Ｓ８）。この処理では、ストップスイッチ７Ｓの入力のチェックが行われ、ストップボタンが押されたタイミングと内部当籤役とに基づいて該当リールの回転が停止される。
【０１１９】
次に、メインＣＰＵ３１は、入賞判定ラインに沿って表示された図柄の組合せを検索し、その結果に基づいて払出枚数等を決定する（Ｓ９）。検索の結果、入賞判定ラインに沿って表示された図柄の組合せが図柄組合せテーブル（図７参照）により規定されている図柄の組合せと一致する場合、対応する表示役及び払出枚数が決定される。次に、メインＣＰＵ３１は、表示コマンドを副制御回路７２に対して送信する（Ｓ１０）。表示コマンドは、表示役や払出枚数等を特定するパラメータを含んで構成される。
【０１２０】
次に、メインＣＰＵ３１は、メダル払出処理を行う（Ｓ１１）。この処理では、決定された払出枚数に基づいて、ホッパー４０の駆動やクレジット枚数の更新が行われる。次に、メインＣＰＵ３１は、払出枚数に基づいて、ボーナス終了枚数カウンタを更新する（Ｓ１２）。この処理では、払出枚数として決定された数値がボーナス終了枚数カウンタから減算される。
【０１２１】
次に、メインＣＰＵ３１は、ボーナス作動中フラグがオンであるか否かを判別する（Ｓ１３）。メインＣＰＵ３１は、ボーナス作動中フラグがオンであると判別したときには、後で図２７を参照して説明するボーナス終了チェック処理を行う（Ｓ１４）。この処理では、ボーナスの終了契機を管理するための各種カウンタを参照して、ボーナスの作動を終了するか否かがチェックされる。
【０１２２】
メインＣＰＵ３１は、Ｓ１４の後、又は、Ｓ１３においてボーナス作動中フラグがオンではないと判別したときには、後で図２６を参照して説明するボーナス作動チェック処理を行う（Ｓ１５）。この処理では、ボーナスの作動を開始するか否かがチェックされる。この処理が終了すると、Ｓ２に移る。
【０１２３】
［メダル受付・スタートチェック処理］
次に、図２３を参照して、メダル受付・スタートチェック処理について説明する。はじめに、メインＣＰＵ３１は、自動投入枚数カウンタは０であるか否かを判別する（Ｓ３１）。自動投入枚数カウンタは０であると判別したときには、メダル通過許可を行う（Ｓ３２）。この処理では、セレクタ４２のソレノイドの駆動が行われ、セレクタ４２内のメダルの通過が促される。
【０１２４】
メインＣＰＵ３１は、自動投入枚数カウンタは０ではないと判別したときには、自動投入枚数カウンタを投入枚数カウンタに複写する（Ｓ３３）。次に、メインＣＰＵ３１は、自動投入枚数カウンタをクリアする（Ｓ３４）。Ｓ３３及びＳ３４は再遊技を行うための処理である。
【０１２５】
メインＣＰＵ３１は、Ｓ３２又はＳ３４の後で、投入枚数カウンタの最大値として３をセットする（Ｓ３５）。次に、メインＣＰＵ３１は、ボーナス作動中フラグがオンであるか否かを判別する（Ｓ３６）。メインＣＰＵ３１は、ボーナス作動中フラグがオンであると判別したときには、投入枚数カウンタの最大値を変更する（Ｓ３７）。この処理では、例えば、最大値が２に変更される。
【０１２６】
メインＣＰＵ３１は、Ｓ３７の後、又は、Ｓ３６においてボーナス作動中フラグがオンではないと判別したときには、メダルの通過は検出されたか否かを判別する（Ｓ３８）。メインＣＰＵ３１は、メダルの通過は検出されたと判別したときには、投入枚数カウンタは最大値に達したか否かを判別する（Ｓ３９）。メインＣＰＵ３１は、投入枚数カウンタは最大値に達していないと判別したときには、投入枚数カウンタを１加算する（Ｓ４０）。次に、メインＣＰＵ３１は、メダル投入コマンドを副制御回路７２に対して送信する（Ｓ４１）。メダル投入コマンドは、投入枚数等を特定するためのパラメータを含んで構成されている。
【０１２７】
メインＣＰＵ３１は、Ｓ３９において投入枚数カウンタは最大値であると判別したときには、クレジットカウンタを１加算する（Ｓ４２）。メインＣＰＵ３１は、Ｓ４２の後、Ｓ４１の後、又は、Ｓ３８においてメダルの通過が検出されていないと判別したときには、ベットスイッチ１１Ｓのチェックを行う（Ｓ４３）。この処理では、ベットボタン１１に対応する数値が投入枚数カウンタに加算される一方でクレジットカウンタから減算される。
【０１２８】
次に、メインＣＰＵ３１は、投入枚数カウンタは最大値に達したか否かを判別する（Ｓ４４）。投入枚数カウンタは最大値に達していないと判別したときには、Ｓ３８に移る一方で、投入枚数カウンタは最大値に達したと判別したときには、スタートスイッチ６Ｓはオンであるか否かを判別する（Ｓ４５）。
【０１２９】
メインＣＰＵ３１は、スタートスイッチ６Ｓはオンではないと判別したときには、Ｓ３８に移る一方で、スタートスイッチ６Ｓはオンであると判別したときには、メダル通過禁止を行う（Ｓ４６）。この処理では、セレクタ４２のソレノイドの駆動が行われず、メダルの排出が促される。この処理が終了すると、メダル受付・スタートチェック処理を終了する。
【０１３０】
［内部抽籤処理］
次に、図２４を参照して、内部抽籤処理について説明する。はじめに、メインＣＰＵ３１は、内部抽籤テーブル（図９〜図１３参照）及び抽籤回数を決定する（Ｓ６１）。設定値が格納された設定値格納領域（図示せず）及び作動中フラグ格納領域（図１８参照）が参照され、設定値及びボーナスの作動の有無等に応じて、内部抽籤テーブル及び抽籤回数が決定される。尚、抽籤回数は、内部抽籤テーブルにより規定された各当籤番号について、抽籤値の減算及び桁かりが生じたか否かの判定を行う回数を示す。
【０１３１】
次に、メインＣＰＵ３１は、乱数値格納領域に格納されている乱数値を取得し、判定用乱数値としてセットする（Ｓ６２）。次に、メインＣＰＵ３１は、当籤番号の初期値として１をセットする（Ｓ６３）。
【０１３２】
次に、メインＣＰＵ３１は、内部抽籤テーブルを参照し、当籤番号に対応する抽籤値を取得する（Ｓ６４）。次に、メインＣＰＵ３１は、判定用乱数値から抽籤値を減算する（Ｓ６５）。次に、メインＣＰＵ３１は、桁かりが行われたか否かを判別する（Ｓ６６）。メインＣＰＵ３１は、桁かりが行われていないと判別したときには、抽籤回数を１減算し、当籤番号を１加算する（Ｓ６７）。
【０１３３】
次に、メインＣＰＵ３１は、抽籤回数は０であるか否かを判別する（Ｓ６８）。メインＣＰＵ３１は、抽籤回数は０ではないと判別したときには、Ｓ６４に移る一方で、抽籤回数は０であると判別したときには、小役・リプレイ用データポインタとして０をセットし、ボーナス用データポインタとして０をセットする（Ｓ６９）。
【０１３４】
メインＣＰＵ３１は、Ｓ６６において桁かりが行われたと判別したときには、現在の当籤番号に応じて、小役・リプレイ用データポインタ及びボーナス用データポインタを取得する（Ｓ７０）。メインＣＰＵ３１は、Ｓ７０又はＳ６９の後で、小役・リプレイ用内部当籤役決定テーブル（図１４参照）を参照し、小役・リプレイ用データポインタに基づいて内部当籤役を取得する（Ｓ７１）。
【０１３５】
次に、メインＣＰＵ３１は、取得した内部当籤役を内部当籤役格納領域（図１６参照）に格納する（Ｓ７２）。次に、メインＣＰＵ３１は、持越役格納領域（図１７参照）に格納されているデータは０であるか否かを判別する（Ｓ７３）。メインＣＰＵ３１は、持越役格納領域に格納されているデータは０であると判別したときは、ボーナス用内部当籤役決定テーブル（図１５参照）を参照し、ボーナス用データポインタに基づいて内部当籤役を取得する（Ｓ７４）。次に、メインＣＰＵ３１は、取得した内部当籤役を持越役格納領域に格納する（Ｓ７５）。
【０１３６】
メインＣＰＵ３１は、Ｓ７５の後、又は、Ｓ７３において持越役格納領域（図１７参照）に格納されているデータは０ではないと判別したときには、持越役格納領域と内部当籤役格納領域（図１６参照）との論理和をとり、その結果を内部当籤役格納領域に格納する（Ｓ７６）。つまり、ボーナスの作動に係る内部当籤役の持ち越しが行われる。この処理が終了すると、内部抽籤処理を終了する。
【０１３７】
［リール停止制御処理］
次に、図２５を参照して、リール停止制御処理について説明する。はじめに、メインＣＰＵ３１は、有効なストップボタンが押されたか否かを判別する（Ｓ１０１）。メインＣＰＵ３１は、有効なストップボタンが押されていないと判別したときには、これが押されるまで待機する。
【０１３８】
メインＣＰＵ３１は、有効なストップボタンが押されたと判別したときには、該当ストップボタンの操作を無効化する（Ｓ１０２）。各ストップボタン７Ｌ，７Ｃ，７Ｒの有効及び無効の状態は、メインＲＡＭ３３に設けられた所定の格納領域において管理される。
【０１３９】
次に、メインＣＰＵ３１は、チェック回数として５をセットする（Ｓ１０３）。本実施の形態では、滑り駒数の最大数を「４」としていることから、ストップボタンが押されたときに該当表示窓の中段にある図柄の位置を含め、そこから４個先の図柄の位置までがチェックの対象となる。つまり、「０」、「１」、「２」、「３」及び「４」の５つの数値の何れかが滑り駒数として決定される。
【０１４０】
次に、メインＣＰＵ３１は、内部当籤役に基づいて、ストップボタンが押されたときに該当表示窓の中段にある図柄の位置（以下、停止開始位置）を含めたチェック回数の範囲内にある各図柄の位置の中で、最も優先順位の高い図柄の位置を検索する（Ｓ１０４）。この処理では、内部当籤役によって表示が許可されている図柄の組合せを、入賞判定ライン沿って表示することが可能となる図柄の位置が、最も優先順位の高い図柄の位置として決定される。
【０１４１】
次に、メインＣＰＵ３１は、検索の結果に基づいて滑り駒数を決定する（Ｓ１０５）。停止開始位置から上記最も優先順位の高い図柄の位置までの図柄の個数が滑り駒数として決定される。次に、メインＣＰＵ３１は、停止予定位置待ちへ移行する（Ｓ１０６）。停止予定位置待ちへ移行すると、後述の割込処理（後述の図２８参照）によってステッピングモータ４９Ｌ，４９Ｃ，４９Ｒの駆動が制御され、最も優先順位の高い図柄の位置が該当表示窓の中段に到達するのを待って該当リールの回転が停止される。
【０１４２】
次に、メインＣＰＵ３１は、リール停止コマンドを副制御回路７２に対して送信する（Ｓ１０７）。リール停止コマンドは、停止したリールの種別等を特定するパラメータを含んで構成されている。
【０１４３】
次に、メインＣＰＵ３１は、操作が有効なストップボタンがあるか否かを判別する（Ｓ１０８）。つまり、まだ回転中のリールがあるか否かが判別される。メインＣＰＵ３１は、操作が有効なストップボタンがあると判別したときには、Ｓ１０１に移る一方で、操作が有効なストップボタンがないと判別したときには、リール停止制御処理を終了する。
【０１４４】
［ボーナス作動チェック処理］
次に、図２６を参照して、ボーナス作動チェック処理について説明する。はじめに、メインＣＰＵ３１は、表示役はＢＢであるか否かを判別する（Ｓ１２１）。メインＣＰＵ３１は、表示役はＢＢであると判別したときには、ボーナス作動時テーブル（図８参照）を参照し、ＢＢ作動時処理を行う（Ｓ１２２）。この処理では、ＢＢ作動中フラグがオンにされ、ボーナス終了枚数カウンタに所定値がセットされる。
【０１４５】
次に、メインＣＰＵ３１は、持越役格納領域（図１７参照）をクリアする（Ｓ１２３）。次に、メインＣＰＵ３１は、ボーナス開始コマンドを副制御回路７２に対して送信する（Ｓ１２４）。この処理が終了すると、ボーナス作動チェック処理を終了する。
【０１４６】
メインＣＰＵ３１は、Ｓ１２１において表示役はＢＢではないと判別したときには、表示役はリプレイであるか否かを判別する（Ｓ１２５）。メインＣＰＵ３１は、表示役はリプレイであると判別したときには、投入枚数カウンタの値を自動投入枚数カウンタに複写する（Ｓ１２６）。
【０１４７】
メインＣＰＵ３１は、Ｓ１２５において表示役はリプレイではないと判別したときには、ＢＢ作動中フラグはオンであるか否かを判別する（Ｓ１２７）。メインＣＰＵ３１は、ＢＢ作動中フラグはオンではないと判別したときには、ボーナス作動チェック処理を終了する一方で、ＢＢ作動中フラグはオンであると判別したときには、ＲＢ作動中フラグはオンであるか否かを判別する（Ｓ１２８）。
【０１４８】
メインＣＰＵ３１は、ＲＢ作動中フラグはオンであると判別したときには、ボーナス作動チェック処理を終了する一方で、ＲＢ作動中フラグはオンではないと判別したときには、ボーナス作動時テーブル（図８参照）を参照し、ＲＢ作動時処理を行う（Ｓ１２９）。この処理では、ＲＢ作動中フラグがオンにされ、入賞可能回数カウンタ及び遊技可能回数カウンタに所定値がセットされる。この処理が終了すると、ボーナス作動チェック処理を終了する。
【０１４９】
［ボーナス終了チェック処理］
次に、図２７を参照して、ボーナス終了チェック処理について説明する。はじめに、メインＣＰＵ３１は、ボーナス終了枚数カウンタは０であるか否かを判別する（Ｓ１４１）。メインＣＰＵ３１は、ボーナス終了枚数カウンタは０であると判別したときには、ＢＢ終了時処理を行う（Ｓ１４２）。この処理では、ＢＢ作動中フラグ及びＲＢ作動中フラグがオフされ、ボーナスの終了契機を管理するための各種カウンタがクリアされる。次に、メインＣＰＵ３１は、ボーナス終了コマンドを副制御回路７２に対して送信する（Ｓ１４３）。この処理が終了すると、ボーナス終了チェック処理を終了する。
【０１５０】
メインＣＰＵ３１は、Ｓ１４１においてボーナス終了枚数カウンタは０ではないと判別したときには、入賞可能回数カウンタ又は遊技可能回数カウンタを更新する（Ｓ１４４）。この処理では、遊技可能回数カウンタが１減算され、また、入賞が有った場合に入賞可能回数カウンタが１減算される。次に、メインＣＰＵ３１は、入賞可能回数カウンタ又は遊技可能回数カウンタは０であるか否かを判別する（Ｓ１４５）。
【０１５１】
メインＣＰＵ３１は、入賞可能回数カウンタ又は遊技可能回数カウンタは０ではないと判別したときには、ボーナス終了チェック処理を終了する一方で、入賞可能回数カウンタ又は遊技可能回数カウンタは０であると判別したときには、ＲＢ終了時処理を行う（Ｓ１４６）。この処理では、ＲＢ作動中フラグがオフされ、入賞可能回数カウンタ及び遊技可能回数カウンタがクリアされる。この処理が終了すると、ボーナス終了チェック処理を終了する。
【０１５２】
［メインＣＰＵの制御による割込処理（１．１１７３ｍｓｅｃ）］
次に、図２８を参照して、メインＣＰＵ３１の制御による割込処理（１．１１７３ｍｓｅｃ）について説明する。はじめに、メインＣＰＵ３１は、レジスタの退避を行う（Ｓ１６１）。次に、メインＣＰＵ３１は、入力ポートチェック処理を行う（Ｓ１６２）。この処理では、ストップスイッチ７Ｓ等の各種スイッチから入力される信号がチェックされる。
【０１５３】
次に、メインＣＰＵ３１は、リール制御処理を行う（Ｓ１６３）。この処理では、全リール３Ｌ，３Ｃ，３Ｒの回転開始が要求されたときに、各リール３Ｌ，３Ｃ，３Ｒの回転を開始し、その後一定速度での回転を行うよう、ステッピングモータ４９Ｌ，４９Ｃ，４９Ｒの駆動が制御される。また、滑り駒数が決定されたときは、該当リールの回転が滑り駒数分継続するのを待ってその回転の減速及び停止を行うよう、ステッピングモータの駆動が制御される。
【０１５４】
次に、メインＣＰＵ３１は、ランプ・７セグ駆動処理を行う（Ｓ１６４）。次に、メインＣＰＵ３１は、レジスタの復帰を行う（Ｓ１６５）。この処理が終了すると、割込処理を終了する。
【０１５５】
［副制御回路のサブＣＰＵによって実行されるプログラムフロー］
主制御回路７１のメインＣＰＵ３１により実行されるプログラムの内容についての説明は以上である。次に、図２９〜図３４を参照して、副制御回路７２のサブＣＰＵ８１により実行されるプログラムの内容について説明する。
【０１５６】
［主基板通信タスク］
図２９を参照して、サブＣＰＵ８１により行われる主基板通信タスクについて説明する。はじめに、サブＣＰＵ８１は、主制御回路７１から送信されたコマンドの受信チェックを行う（Ｓ３０１）。次に、サブＣＰＵ８１は、コマンドを受信した場合、そのコマンドの種別を抽出する（Ｓ３０２）。
【０１５７】
次に、サブＣＰＵ８１は、前回とは異なるコマンドを受信したか否かを判別する（Ｓ３０３）。サブＣＰＵ８１は、前回とは異なるコマンドを受信しなかったと判別したときには、Ｓ３０１に移る一方で、前回とは異なるコマンドを受信したと判別したときには、メッセージキューに格納し（Ｓ３０４）、Ｓ３０１に移る。
【０１５８】
［演出登録タスク］
次に、図３０を参照して、サブＣＰＵ８１により行われる演出登録タスクについて説明する。はじめに、サブＣＰＵ８１は、メッセージキューからメッセージを取り出す（Ｓ３１１）。次に、サブＣＰＵ８１は、メッセージは有るか否かを判別する（Ｓ３１２）。サブＣＰＵ８１は、メッセージは有ると判別したときには、メッセージから遊技情報を複写する（Ｓ３１３）。例えば、パラメータによって特定される、内部当籤役、回転が停止したリールの種別、表示役、作動中フラグ等といった各種データがサブＲＡＭ８３に設けられた格納領域に複写される。
【０１５９】
次に、サブＣＰＵ８１は、後で図３１を参照して説明する演出内容決定処理を行う（Ｓ３１４）。この処理では、受信したコマンドの種別に応じて、演出内容の決定や演出データの登録等が行われる。
【０１６０】
サブＣＰＵ８１は、Ｓ３１４の後、又は、Ｓ３１２においてメッセージは無かったと判別したときには、アニメーションデータの登録を行う（Ｓ３１５）。次に、サブＣＰＵ８１は、サウンドデータの登録を行う（Ｓ３１６）。次に、サブＣＰＵ８１は、ランプデータの登録を行う（Ｓ３１７）。アニメーションデータの登録、サウンドデータの登録及びランプデータの登録は、演出内容決定処理（後述の図３１参照）において登録された演出データに基づいて行われる。この処理が終了すると、Ｓ３１１に移る。
【０１６１】
［演出内容決定処理］
次に、図３１を参照して、サブＣＰＵ８１により実行される演出内容決定処理のフローチャートについて説明する。はじめに、サブＣＰＵ８１は、スタートコマンド受信時であるか否かを判別する（Ｓ３２１）。サブＣＰＵ８１は、スタートコマンド受信時であると判別したときには、後で図３２を参照して説明する報知演出関連処理を行う（Ｓ３２２）。この処理では、ナビポイントが１以上である場合に内部当籤役に応じて演出番号の決定が行われる。演出番号は、今回において実行する演出内容を指定するデータである。
【０１６２】
次に、サブＣＰＵ８１は、登録されている演出番号に基づいて、スタート時の演出データを登録する（Ｓ３２３）。演出データは、アニメーションデータ、サウンドデータ及びランプデータを指定するデータである。演出データが登録されると、対応するアニメーションデータ等が決定され、映像の表示等の演出が実行される。この処理が終了すると、演出内容決定処理を終了する。
【０１６３】
次に、サブＣＰＵ８１は、スタートコマンド受信時ではないと判別したときには、リール停止コマンド受信時であるか否かを判別する（Ｓ３２４）。サブＣＰＵ８１は、リール停止コマンド受信時であると判別したときには、登録されている演出番号と作動ストップボタンの種別に基づいて、停止時の演出データを登録する（Ｓ３２５）。尚、作動ストップボタンとは、有効なストップボタンのうち押されたもののことである。この処理が終了すると、演出内容決定処理を終了する。
【０１６４】
次に、サブＣＰＵ８１は、リール停止コマンド受信時ではないと判別したときには、表示コマンド受信時であるか否かを判別する（Ｓ３２６）。サブＣＰＵ８１は、表示コマンド受信時であると判別したときには、後で図３３を参照して説明する表示コマンド受信時処理を行う（Ｓ３２７）。この処理では、内部当籤役として決定された役が表示役として決定されなかった場合に内部当籤役に応じたナビポイントの決定が行われる。次に、サブＣＰＵ８１は、後で図３４を参照して説明するＪＡＣＫＰＯＴ演出開始処理を行う（Ｓ３２８）。この処理では、表示役としてＪＡＣＫＰＯＴが決定された場合にＪＡＣＫＰＯＴフラグのオンが行われＪＡＣＫＰＯＴ演出が開始される。次に、サブＣＰＵ８１は、登録されている演出番号に基づいて、表示時の演出データを登録する（Ｓ３２９）。この処理が終了すると、演出内容決定処理を終了する。
【０１６５】
次に、サブＣＰＵ８１は、表示コマンド受信時ではないと判別したときには、ボーナス開始コマンド受信時であるか否かを判別する（Ｓ３３０）。サブＣＰＵ８１は、ボーナス開始コマンド受信時であると判別したときには、ボーナス開始用の演出データを登録する（Ｓ３３１）。この処理が終了すると、演出内容決定処理を終了する。
【０１６６】
次に、サブＣＰＵ８１は、ボーナス開始コマンド受信時ではないと判別したときには、ボーナス終了コマンド受信時であるか否かを判別する（Ｓ３３２）。サブＣＰＵ８１は、ボーナス終了コマンド受信時ではないと判別したときには、演出内容決定処理を終了する一方で、ボーナス終了コマンド受信時であると判別したときには、ボーナス終了用の演出データを登録する（Ｓ３３３）。この処理が終了すると、演出内容決定処理を終了する。
【０１６７】
［報知演出関連処理］
次に、図３２を参照して、サブＣＰＵ８１により実行される報知演出関連処理のフローチャートについて説明する。はじめに、サブＣＰＵ８１は、ＪＡＣＫＰＯＴフラグはオンであるか否かを判別する（Ｓ３４１）。サブＣＰＵ８１は、ＪＡＣＫＰＯＴフラグはオンではないと判別したときには、報知演出関連処理を終了する一方で、ＪＡＣＫＰＯＴフラグはオンであると判別したときには、ナビポイントは１以上であるか否かを判別する（Ｓ３４２）。サブＣＰＵ８１は、ナビポイントは１以上であると判別した場合には、演出番号決定テーブル（図２１参照）に従い、内部当籤役に応じた演出番号を決定する（Ｓ３４３）。次に、サブＣＰＵ８１は、ナビポイントを１減算する（Ｓ３４４）。
【０１６８】
次に、サブＣＰＵ８１は、ナビポイントは１以上であるか否かを判別する（Ｓ３４５）。サブＣＰＵ８１は、ナビポイントは１以上であると判別したときには、報知演出関連処理を終了する一方で、ナビポイントは１以上ではないと判別したときには、ＪＡＣＫＰＯＴフラグをオフにしＪＡＣＫＰＯＴ演出が終了する（Ｓ３４６）。この処理が終了すると、報知演出関連処理を終了する。
【０１６９】
［表示コマンド受信時処理］
次に、図３３を参照して、サブＣＰＵ８１により実行される表示コマンド受信時処理のフローチャートについて説明する。
【０１７０】
はじめに、サブＣＰＵ８１は、内部当籤役にチェリー又はＢＢが含まれているか、すなわち、内部当籤役としてチェリー又はＢＢの何れかが決定されたか否かを判別する（Ｓ３５１）。サブＣＰＵ８１は、内部当籤役にチェリー又はＢＢが含まれていないと判別したときには、表示コマンド受信時処理を終了する一方で、内部当籤役にチェリー又はＢＢが含まれていると判別したときには、表示役にチェリー又はＢＢが含まれているか、すなわち、表示役としてチェリー又はＢＢの何れかが決定されたか否かを判別する（Ｓ３５２）。サブＣＰＵ８１は、表示役にチェリー又はＢＢが含まれていると判別したときには、表示コマンド受信時処理を終了する一方で、表示役にチェリー又はＢＢが含まれていないと判別したときには、ナビポイント付与テーブル（図１９）に従い、内部当籤役に応じたナビポイントを決定する（Ｓ３５３）。すなわち、この処理では内部当籤役として決定された役が、遊技者の停止ボタン７Ｌ、７Ｃ、７Ｒの停止操作のタイミングにより表示役として決定されなかった場合には、該内部当籤役に応じてナビポイントを決定する。
【０１７１】
次に、サブＣＰＵ８１は、ナビポイント変動テーブル（図２０）に従い、設定値に応じた変動倍率を決定する（Ｓ３５４）。次に、サブＣＰＵ８１は、決定されたナビポイントに変動倍率を乗じてナビポイント格納領域に格納する（Ｓ３５５）。この処理が終了すると、表示コマンド受信時処理を終了する。
【０１７２】
［ＪＡＣＫＰＯＴ演出開始処理］
次に、図３４を参照して、サブＣＰＵ８１により実行されるＪＡＣＫＰＯＴ演出開始処理のフローチャートについて説明する。
【０１７３】
はじめに、サブＣＰＵ８１は、表示役はＪＡＣＫＰＯＴであるか否かを判別する（Ｓ３６１）。サブＣＰＵ８１は、表示役はＪＡＣＫＰＯＴではないと判別したときには、ＪＡＣＫＰＯＴ演出開始処理を終了する一方で、表示役はＪＡＣＫＰＯＴであると判別したときには、ＪＡＣＫＰＯＴフラグをオンにする（Ｓ３６２）。この処理が終了するとＪＡＣＫＰＯＴ演出開始処理を終了する。
【０１７４】
次に、図３５の表示例を参照して、サブＣＰＵ８１により行われるＪＡＣＫＰＯＴ演出の演出内容について説明する。図３５は、ナビポイントが１以上である場合に、内部当籤役としてチェリーが決定され、演出番号として１が選択された場合の表示例を示す。
【０１７５】
表示画面５ａの略中央には、主人公キャラクタ３１１が表示され、主人公キャラクタ３１１の右方には、女性キャラクタ３１２が表示され、主人公キャラクタ３１１の左方には、親方キャラクタ３１３が表示されている。また、主人公キャラクタ３１１の上方には、赤い花火を示す演出画像３１４が表示されている。この表示例によると、主人公キャラクタが赤い花火を打ち上げる様子を確認できる。
【０１７６】
ここで、図２１の演出番号決定テーブルを参照すると、内部当籤役としてチェリーが決定された場合には、演出番号「１」が決定され、演出番号「１」に対応するチェリー演出が行われる。上述のように、主人公キャラクタ３１１が打ち上げる花火の色で内部当籤役の種別を告知する。したがって、図３５によると、遊技者は、内部当籤役としてチェリーが決定されていることを把握でき、表示役としてチェリーを成立させるように停止操作を行うことができる。
【０１７７】
同様に、内部当籤役としてスイカ、ベル、リプレイ及びＢＢが決定された場合には、各内部当籤役に対応する演出が行われる。したがって、遊技者は表示画面５ａに表示される花火の色を見ることにより、内部当籤役を把握でき、表示役として各演出に対応する内部当籤役を表示役として成立させるように停止操作を行うことができる。
【０１７８】
ここで、チェリーやＢＢが内部当籤役として決定したにも関わらず、遊技者の停止ボタン７Ｌ、７Ｃ、７Ｒの停止操作のタイミングにより表示役として決定することができないいわゆる取りこぼしが発生した場合について説明する。取りこぼしが発生した場合には、取りこぼした内部当籤役に応じて異なるナビポイントが格納される。そして、表示役としてＪＡＣＫＰＯＴが成立した場合には、取りこぼしごとに格納されたナビポイントの値に基づいて、決定された内部当籤役を報知するＪＡＣＫＰＯＴ演出が行われる。ＪＡＣＫＰＯＴ演出では、遊技者の停止操作のタイミングによっては表示役として決定されないチェリーやＢＢも含めて決定された内部当籤役の報知が行われる。
【０１７９】
遊技者の停止操作の技量不足により取りこぼしが多数発生した場合には、取りこぼしが発生した回数及び取りこぼした内部当籤役に応じて遊技者にとって有利な演出であるＪＡＣＫＰＯＴ演出が行われる。したがって、遊技者の停止ボタン７Ｌ、７Ｃ、７Ｒの停止操作の技量の相違により生ずる取りこぼしのような不均衡を解消することができる。さらに、ＪＡＣＫＰＯＴが表示役として決定して、遊技者にとって有利な演出であるＪＡＣＫＰＯＴ演出が行われることに対する遊技者の期待感を高めることができる。
【０１８０】
また、設定値が１である場合に、内部当籤役としてチェリーが決定し、遊技者の停止ボタン７Ｌ、７Ｃ、７Ｒの停止操作のタイミングにより表示役としてチェリーが決定されなかった場合について説明する。この場合、ナビポイントとして「３」が決定される。そして、設定値「１」に対応した変動倍率「３」で乗じた値である「９」がＪＡＣＫＰＯＴ演出で使用される実際のナビポイントとして格納される。
【０１８１】
また、設定値が４である場合に、内部当籤役としてチェリーが決定し、遊技者の停止ボタン７Ｌ、７Ｃ、７Ｒの停止操作のタイミングにより表示役としてチェリーが決定されなかった場合について説明する。この場合、ナビポイントとして「３」が決定される。そして、設定値「４」に対応した変動倍率「１」で乗じた値である「３」がＪＡＣＫＰＯＴ演出で使用される実際のナビポイントとして格納される。
【０１８２】
また、設定値が６である場合に、内部当籤役としてチェリーが決定し、遊技者の停止ボタン７Ｌ、７Ｃ、７Ｒの停止操作のタイミングにより表示役としてチェリーが決定されなかった場合について説明する。この場合、ナビポイントとして「３」が決定される。そして、設定値「６」に対応した変動倍率「３」で乗じた値である「９」がＪＡＣＫＰＯＴ演出で使用される実際のナビポイントとして格納される。
【０１８３】
また、設定値がＨである場合に、内部当籤役としてチェリーが決定し、遊技者の停止ボタン７Ｌ、７Ｃ、７Ｒの停止操作のタイミングにより表示役としてチェリーが決定されなかった場合について説明する。この場合、ナビポイントとして「２」が決定される。そして、設定値「Ｈ」に対応した変動倍率「２」で乗じた値である「３」がＪＡＣＫＰＯＴ演出で使用される実際のナビポイントとして格納される。
【０１８４】
また、設定値が４及びＨである場合は、設定値が１及び６である場合に比べ、内部当籤役としてＪＡＣＫＰＯＴに当籤する確率が２倍高い。このため、設定値が１である場合には、ＪＡＣＫＰＯＴ演出が行われる確率が一番低くなる。しかし、決定されたナビポイントを乗ずる変動倍率の値が一番高いため、ＪＡＣＫＰＯＴ演出が行われた場合には多くのゲーム数に亘ってＪＡＣＫＰＯＴ演出が行われる可能性が高くなる。したがって、設定値が１である場合には、取りこぼしに対する還元率を最も高くして、遊技者に対する期待感を高めることができる。
【０１８５】
設定値が４である場合には、ＪＡＣＫＰＯＴ演出が行われる確率が一番高くなる。しかし、決定されたナビポイントを乗ずる変動倍率の値が一番低いため、ＪＡＣＫＰＯＴ演出が行われた場合には比較的短いゲーム数に亘ってＪＡＣＫＰＯＴ演出が行われる可能性が高くなる。したがって、設定値が４である場合には、取りこぼしに対する還元回数を最も高くして遊技者に対する期待感を高めることができる。
【０１８６】
設定値が６である場合には、ＪＡＣＫＰＯＴ演出が行われる確率が一番低くなる。しかし、決定されたナビポイントを乗ずる変動倍率の値が一番高いため、ＪＡＣＫＰＯＴ演出が行われた場合には多くのゲーム数に亘ってＪＡＣＫＰＯＴ演出が行われる可能性が高くなる。したがって、設定値が６である場合には、取りこぼしに対する還元率を最も高くして、遊技者に対する期待感を高めることができる。
【０１８７】
設定値がＨである場合には、ＪＡＣＫＰＯＴ演出が行われる確率が一番高くなる。しかも、決定されたナビポイントを乗ずる変動倍率の値は設定値１と４との間の値である。したがって、ＪＡＣＫＰＯＴ演出が行われた場合には中間的ゲーム数に渡ってＪＡＣＫＰＯＴ演出が行われる可能性が高くなる。したがって、設定値がＨである場合には、取りこぼしに対する還元回数を高くするとともに、取りこぼしに対する還元率も高めて遊技者に対する期待感を高めることができる。
【０１８８】
したがって、遊技者にとって不利な設定値である場合にあっても、遊技者に対し多数の報知による支援を行うことにより報知演出に対し大きな期待感を与えることができ、遊技に対する期待感を高めることができる。
【０１８９】
以上、実施例について説明したが、本発明はこれに限られるものではない。
【０１９０】
また、上述の実施例では、ナビポイントは内部当籤役ごとに異なるようにしたがこれに限られない。例えば、内部当籤役ごとに同一のナビポイントとしてもよい。また、ナビポイントの値を払出枚数に応じて異なるようにしてもよい。例えば、１５枚のメダルの払出が行われる内部当籤役に対応してナビポイントを１５に決定してもよい。したがって、払出枚数の多い内部当籤役のナビポイントを大きいものとし、払出枚数の少ない内部当籤役のナビポイントを小さいものとしてもよい。これにより、払出枚数の多い内部当籤役を取りこぼした場合であっても、取りこぼした内部当籤役に応じて遊技者にとって有利な演出であるＪＡＣＫＰＯＴ演出を行うことができる。したがって、遊技者の停止ボタン７Ｌ、７Ｃ、７Ｒの停止操作の技量の相違により生ずる取りこぼしのような不均衡を解消することができる。
【０１９１】
また、上述の実施例では、取りこぼしが行われるごとに取りこぼした内部当籤役に応じたナビポイントを加算するようにしたがこれに限られない。例えば、取りこぼした内部当籤役に対応する払出枚数を所定のゲーム数に亘って計数し、計数された払出枚数に応じてナビポイントを決定してもよい。
【０１９２】
また、上述の実施例では、取りこぼした内部当籤役に応じて予め決定されたナビポイントを加算するようにしたがこれに限られない。例えば、取りこぼしが行われるごとに抽籤によりナビポイントを変動してもよい。
【図面の簡単な説明】
【０１９３】
【図１】パチスロの機能フローを示す図である。
【図２】パチスロの外部構造を示す図である。
【図３】パチスロの内部構造を示す図である。
【図４】主制御回路の構成を示す図である。
【図５】副制御回路の構成を示す図である。
【図６】図柄配置テーブルを示す図である。
【図７】図柄組合せテーブルを示す図である。
【図８】ボーナス作動時テーブルを示す図である。
【図９】一般遊技状態用内部抽籤テーブルを示す図である。
【図１０】一般遊技状態用内部抽籤テーブルを示す図である。
【図１１】一般遊技状態用内部抽籤テーブルを示す図である。
【図１２】一般遊技状態用内部抽籤テーブルを示す図である。
【図１３】ＲＢ作動中用内部抽籤テーブルを示す図である。
【図１４】小役・リプレイ用内部当籤役決定テーブルを示す図である。
【図１５】ボーナス用内部当籤役決定テーブルを示す図である。
【図１６】内部当籤役格納領域の構成を説明するための図である。
【図１７】持越役格納領域の構成を説明するための図である。
【図１８】作動中フラグ格納領域の構成を説明するための図である。
【図１９】ナビポイント付与テーブルを示す図である。
【図２０】ナビポイント変動テーブルを示す図である。
【図２１】演出番号決定テーブルを示す図である。
【図２２】メインＣＰＵの制御によるメインフローチャートである。
【図２３】メダル受付・スタートチェック処理を示すフローチャートである。
【図２４】内部抽籤処理を示すフローチャートである。
【図２５】リール停止制御処理を示すフローチャートである。
【図２６】ボーナス作動チェック処理を示すフローチャートである。
【図２７】ボーナス終了チェック処理を示すフローチャートである。
【図２８】割込処理を示すフローチャートである。
【図２９】サブＣＰＵにより行われる主基板通信タスクを示すフローチャートである。
【図３０】サブＣＰＵにより行われる演出登録タスクを示すフローチャートである。
【図３１】サブＣＰＵにより実行される演出内容決定処理を示すフローチャートである。
【図３２】サブＣＰＵにより実行される報知演出関連処理を示すフローチャートである。
【図３３】サブＣＰＵにより実行される表示コマンド受信時処理を示すフローチャートである。
【図３４】サブＣＰＵにより実行されるＪＡＣＫＰＯＴ演出開始処理を示すフローチャートである。
【図３５】本実施形態における表示例を示す図である。
【符号の説明】
【０１９４】
１    パチスロ
２    フロントドア
３Ｌ，３Ｃ，３Ｒ    リール
６    スタートレバー
７Ｌ，７Ｃ，７Ｒ    停止ボタン
３０    マイクロコンピュータ
３１    メインＣＰＵ
３２    メインＲＯＭ
３３    メインＲＡＭ
７１    主制御回路
７２    副制御回路
８１    サブＣＰＵ
８３    サブＲＡＭ
【図１】
2010051452.tif 000003
【図２】
2010051452.tif 000004
【図３】
2010051452.tif 000005
【図４】
2010051452.tif 000006
【図５】
2010051452.tif 000007
【図６】
2010051452.tif 000008
【図７】
2010051452.tif 000009
【図８】
2010051452.tif 000010
【図９】
2010051452.tif 000011
【図１０】
2010051452.tif 000012
【図１１】
2010051452.tif 000013
【図１２】
2010051452.tif 000014
【図１３】
2010051452.tif 000015
【図１４】
2010051452.tif 000016
【図１５】
2010051452.tif 000017
【図１６】
2010051452.tif 000018
【図１７】
2010051452.tif 000019
【図１８】
2010051452.tif 000020
【図１９】
2010051452.tif 000021
【図２０】
2010051452.tif 000022
【図２１】
2010051452.tif 000023
【図２２】
2010051452.tif 000024
【図２３】
2010051452.tif 000025
【図２４】
2010051452.tif 000026
【図２５】
2010051452.tif 000027
【図２６】
2010051452.tif 000028
【図２７】
2010051452.tif 000029
【図２８】
2010051452.tif 000030
【図２９】
2010051452.tif 000031
【図３０】
2010051452.tif 000032
【図３１】
2010051452.tif 000033
【図３２】
2010051452.tif 000034
【図３３】
2010051452.tif 000035
【図３４】
2010051452.tif 000036
【図３５】
2010051452.tif 000037